(57)【要約】【課題】親機及び子機のいずれかの時計機能が非動作状態となった場合にも、親機及び子機が設定されるべき別々の時刻にて適切に復旧させる。【解決手段】時間設定システムは、時計機能を有する第１装置及び第２装置を具備する。第１装置は、第２装置の時計データと自己の時計データとの第１差分データを計算して記憶し、第１差分データと自己の時計データとに基づいて第２装置の擬似時刻を計算し、これを第２装置に送信する。一方、第２装置は、第１装置から送信された擬似時刻に基づいて自己の時計データを設定する。これにより、例えば第２装置の時計が非動作状態となった場合にも、第１装置における時刻とは異なる別の適切な時刻にて、第２装置を復旧させることが可能となる。【選択図】図４
2010016709.tif 000002
【特許請求の範囲】
【請求項１】
時計機能を有する第１装置と、時計機能を有し、前記第１装置と通信を行う第２装置とを具備する時間設定システムであって、
前記第１装置は、
前記第２装置から時計データを受信し、受信された前記第２装置の時計データと前記第１装置の時計データとの差分に相当する第１差分データを計算する第１時計差分データ計算手段と、
前記第１時計差分データ計算手段によって計算された第１差分データを記憶する第１差分データ記憶手段と、
前記第１差分データ記憶手段によって記憶された第１差分データと前記第１装置の時計データとに基づいて、前記第２装置のための第２装置用擬似時刻を計算する第１擬似時刻計算手段と、
前記第１擬似時刻計算手段によって計算された前記第２装置用擬似時刻を、前記第２装置に対して送信する第１擬似時刻送信手段と、を備え、
前記第２装置は、
前記第１擬似時刻送信手段によって送信された前記第２装置用擬似時刻を受信して、当該第２装置用擬似時刻に基づいて時計データを設定する第２時計データ設定手段を備えることを特徴とする時間設定システム。
【請求項２】
前記第２時計データ設定手段は、前記第２装置における時計が非動作状態となった後、当該非動作状態から復旧する際に、前記第１擬似時刻送信手段によって送信された前記第２装置用擬似時刻を受信して、当該第２装置用擬似時刻に基づいて時計データを設定することを特徴とする請求項１に記載の時間設定システム。
【請求項３】
前記第１差分データ記憶手段は、
記憶している第１差分データと前記第１時計差分データ計算手段によって計算された第１差分データとの差分を示す第１差分データ差分値が所定範囲を超過していない場合には、前記第１時計差分データ計算手段によって計算された第１差分データを記憶し、
前記第１差分データ差分値が前記所定範囲を超過しており、且つ前記第１差分データ差分値が前記所定範囲を超過している時間が所定時間継続していない場合には、前記第１時計差分データ計算手段によって計算された第１差分データを記憶せず、
前記第１差分データ差分値が前記所定範囲を超過しており、且つ前記第１差分データ差分値が前記所定範囲を超過している時間が前記所定時間継続している場合には、前記第１時計差分データ計算手段によって計算された第１差分データを記憶することを特徴とする請求項１又は２に記載の時間設定システム。
【請求項４】
前記第１装置は、前記第２装置と通信を行うと共に前記時計機能を有する複数の装置を有し、
前記複数の装置は、それぞれ、前記第１時計差分データ計算手段、前記第１差分データ記憶手段、及び前記第１擬似時刻計算手段、並びに前記第１擬似時刻送信手段を備え、
前記第２時計データ設定手段は、前記複数の装置における前記第１擬似時刻送信手段から複数の第２装置用擬似時刻を受信し、前記複数の第２装置用擬似時刻を比較することによって決定された時刻にて前記時計データを設定することを特徴とする請求項１乃至３のいずれか一項に記載の時間設定システム。
【請求項５】
前記第２装置は、
前記第１装置から時計データを受信し、受信された前記第１装置の時計データと前記第２装置の時計データとの差分に相当する第２差分データを計算する第２時計差分データ計算手段と、
前記第２時計差分データ計算手段によって計算された第２差分データを記憶する第２差分データ記憶手段と、
前記第２差分データ記憶手段によって記憶された第２差分データと前記第２装置の時計データとに基づいて、前記第１装置のための第１装置用擬似時刻を計算する第２擬似時刻計算手段と、
前記第２擬似時刻計算手段によって計算された前記第１装置用擬似時刻を、前記第１装置に対して送信する第２擬似時刻送信手段と、を更に備え、
前記第１装置は、
前記第２擬似時刻送信手段によって送信された前記第１装置用擬似時刻を受信して、当該第１装置用擬似時刻に基づいて時計データを設定する第１時計データ設定手段を更に備えることを特徴とする請求項１乃至４のいずれか一項に記載の時間設定システム。
【請求項６】
前記第１時計データ設定手段は、前記第１装置における時計が非動作状態となった後、当該非動作状態から復旧する際に、前記第２擬似時刻送信手段によって送信された前記第１装置用擬似時刻を受信して、当該第１装置用擬似時刻に基づいて時計データを設定することを特徴とする請求項５に記載の時間設定システム。
【請求項７】
前記第２差分データ記憶手段は、
記憶している第２差分データと前記第２時計差分データ計算手段によって計算された第２差分データとの差分を示す第２差分データ差分値が所定範囲を超過していない場合には、前記第２時計差分データ計算手段によって計算された第２差分データを記憶し、
前記第２差分データ差分値が前記所定範囲を超過しており、且つ前記第２差分データ差分値が前記所定範囲を超過している時間が所定時間継続していない場合には、前記第２時計差分データ計算手段によって計算された第２差分データを記憶せず、
前記第２差分データ差分値が前記所定範囲を超過しており、且つ前記第２差分データ差分値が前記所定範囲を超過している時間が前記所定時間継続している場合には、前記第２時計差分データ計算手段によって計算された第２差分データを記憶することを特徴とする請求項５又は６に記載の時間設定システム。
【請求項８】
前記第１装置と前記第２装置とは、親子関係を形成して通信を行うことを特徴とする請求項１乃至７のいずれか一項に記載の時間設定システム。
【請求項９】
前記第１装置及び前記第２装置の少なくともいずれかが回線に接続されており、コードレス電話機として構成されていることを特徴とする請求項１乃至８のいずれか一項に記載の時間設定システム。
【発明の詳細な説明】
【技術分野】
【０００１】
本発明は、時計機能を有する親機及び子機を備える時間設定システムに関する。
【背景技術】
【０００２】
従来から、時計機能を有する親機及び子機が通信を行うことで、親機及び子機の少なくともいずれか一方の時刻を調整することが行われている。例えば、特許文献１には、コードレス電話機において、動作している親機又は子機の時計情報をバックアップとして使用することにより、時計情報のために特別な電池やＩＣや回路を使用せずに、システム全体で同一の時計情報を保有させる技術が記載されている。その他にも、本発明に関連のある技術が、特許文献２に記載されている。
【０００３】
【特許文献１】特開２００６−２７９６７０号公報
【特許文献２】特開平１０−９３６８５号公報
【発明の開示】
【発明が解決しようとする課題】
【０００４】
しかしながら、上記した特許文献１及び２に記載された技術は、親機と子機とで別々の時刻を設定するような場合（例えば、親機に日本時刻を設定して、子機にアメリカ時刻を設定するような場合）に好適に適用することができなかった。具体的には、当該技術においては、親機又は子機が受信した時刻が一定以上の誤差があると、受信された時刻にて更新されてしまい、親機及び子機のいずれかの時刻にて他方の時刻が合わされてしまう傾向にあった。そのため、例えば親機及び子機のいずれかの時計が非動作状態となった場合に、別々の時刻にて適切に復旧させることができなかった。
【０００５】
本発明が解決しようとする課題は上記のようなものが例として挙げられる。本発明は、親機及び子機のいずれかの時計機能が非動作状態となった場合にも、親機及び子機が設定されるべき別々の時刻にて適切に復旧させることが可能な時間設定システムを提供することを課題とする。
【課題を解決するための手段】
【０００６】
請求項１に記載の発明では、時計機能を有する第１装置と、時計機能を有し、前記第１装置と通信を行う第２装置とを具備する時間設定システムにおいて、前記第１装置は、前記第２装置から時計データを受信し、受信された前記第２装置の時計データと前記第１装置の時計データとの差分に相当する第１差分データを計算する第１時計差分データ計算手段と、前記第１時計差分データ計算手段によって計算された第１差分データを記憶する第１差分データ記憶手段と、前記第１差分データ記憶手段によって記憶された第１差分データと前記第１装置の時計データとに基づいて、前記第２装置のための第２装置用擬似時刻を計算する第１擬似時刻計算手段と、前記第１擬似時刻計算手段によって計算された前記第２装置用擬似時刻を、前記第２装置に対して送信する第１擬似時刻送信手段と、を備え、前記第２装置は、前記第１擬似時刻送信手段によって送信された前記第２装置用擬似時刻を受信して、当該第２装置用擬似時刻に基づいて時計データを設定する第２時計データ設定手段を備える。
【発明を実施するための最良の形態】
【０００７】
本発明の１つの実施形態では、時計機能を有する第１装置と、時計機能を有し、前記第１装置と通信を行う第２装置とを具備する時間設定システムにおいて、前記第１装置は、前記第２装置から時計データを受信し、受信された前記第２装置の時計データと前記第１装置の時計データとの差分に相当する第１差分データを計算する第１時計差分データ計算手段と、前記第１時計差分データ計算手段によって計算された第１差分データを記憶する第１差分データ記憶手段と、前記第１差分データ記憶手段によって記憶された第１差分データと前記第１装置の時計データとに基づいて、前記第２装置のための第２装置用擬似時刻を計算する第１擬似時刻計算手段と、前記第１擬似時刻計算手段によって計算された前記第２装置用擬似時刻を、前記第２装置に対して送信する第１擬似時刻送信手段と、を備え、前記第２装置は、前記第１擬似時刻送信手段によって送信された前記第２装置用擬似時刻を受信して、当該第２装置用擬似時刻に基づいて時計データを設定する第２時計データ設定手段を備える。
【０００８】
上記の時間設定システムは、時計機能を有すると共に通信を行う第１装置及び第２装置を具備する。第１装置は、第２装置から受信された時計データと自己の時計データとの差分に相当する第１差分データを計算して記憶し、記憶された第１差分データと自己の時計データとに基づいて第２装置用擬似時刻を計算し、これを第２装置に対して送信する。一方、第２装置は、第１装置から送信された第２装置用擬似時刻に基づいて自己の時計データを設定する。これにより、第１装置と第２装置とで別々の時刻を設定した場合において、例えば第２装置の時計が非動作状態となった場合にも、第１装置における時刻とは異なる別の適切な時刻にて、第２装置の時計データを復旧させることが可能となる。また、上記の時間設定システムによれば、第２装置における停電時の時計データの保持や更新が必要ないため、第２装置における回路の簡素化やバックアップ電池の削除等が可能となる。
【０００９】
上記の時間設定システムの一態様では、前記第２時計データ設定手段は、前記第２装置における時計が非動作状態となった後、当該非動作状態から復旧する際に、前記第１擬似時刻送信手段によって送信された前記第２装置用擬似時刻を受信して、当該第２装置用擬似時刻に基づいて時計データを設定する。これにより、第２装置が非動作状態となり時計がカウントされなくなった時点から正常にカウントされた時刻を、第２装置に対して適切に設定することが可能となる。
【００１０】
上記の時間設定システムの他の一態様では、前記第１差分データ記憶手段は、記憶している第１差分データと前記第１時計差分データ計算手段によって計算された第１差分データとの差分を示す第１差分データ差分値が所定範囲を超過していない場合には、前記第１時計差分データ計算手段によって計算された第１差分データを記憶し、前記第１差分データ差分値が前記所定範囲を超過しており、且つ前記第１差分データ差分値が前記所定範囲を超過している時間が所定時間継続していない場合には、前記第１時計差分データ計算手段によって計算された第１差分データを記憶せず、前記第１差分データ差分値が前記所定範囲を超過しており、且つ前記第１差分データ差分値が前記所定範囲を超過している時間が前記所定時間継続している場合には、前記第１時計差分データ計算手段によって計算された第１差分データを記憶する。
【００１１】
この態様によれば、第２装置における時計が非動作状態となった際や、第２装置との通信が不可能になった際などにおいて計算された第１差分データが記憶されてしまうことを適切に抑制することができる。よって、第１装置において第１差分データの更新が行われなくなった最後の第１差分データと第１装置における現在の時計データとから計算された第２装置用擬似時刻を、第２装置に対して適切に設定させることができる。
【００１２】
上記の時間設定システムの他の一態様では、前記第１装置は、前記第２装置と通信を行うと共に前記時計機能を有する複数の装置を有し、前記複数の装置は、それぞれ、前記第１時計差分データ計算手段、前記第１差分データ記憶手段、及び前記第１擬似時刻計算手段、並びに前記第１擬似時刻送信手段を備え、前記第２時計データ設定手段は、前記複数の装置における前記第１擬似時刻送信手段から複数の第２装置用擬似時刻を受信し、前記複数の第２装置用擬似時刻を比較することによって決定された時刻にて前記時計データを設定する。これにより、複数の装置のいずれかにおいて時計カウントの異常が発生した場合にも、異常が発生した装置より受信された第２装置用擬似時刻によって、第２装置の時計データが設定されてしまうことを防止することができる。
【００１３】
上記の時間設定システムの他の一態様では、前記第２装置は、前記第１装置から時計データを受信し、受信された前記第１装置の時計データと前記第２装置の時計データとの差分に相当する第２差分データを計算する第２時計差分データ計算手段と、前記第２時計差分データ計算手段によって計算された第２差分データを記憶する第２差分データ記憶手段と、前記第２差分データ記憶手段によって記憶された第２差分データと前記第２装置の時計データとに基づいて、前記第１装置のための第１装置用擬似時刻を計算する第２擬似時刻計算手段と、前記第２擬似時刻計算手段によって計算された前記第１装置用擬似時刻を、前記第１装置に対して送信する第２擬似時刻送信手段と、を更に備え、前記第１装置は、前記第２擬似時刻送信手段によって送信された前記第１装置用擬似時刻を受信して、当該第１装置用擬似時刻に基づいて時計データを設定する第１時計データ設定手段を更に備える。
【００１４】
この態様では、第１装置と第２装置とが双方向通信することで、互いの時計データの設定を行う。具体的には、第２装置は、第１装置から受信された時計データと自己の時計データとの差分に相当する第２差分データを計算して記憶し、記憶された第２差分データと自己の時計データとに基づいて第１装置用擬似時刻を計算し、これを第１装置に対して送信する。一方、第１装置は、第２装置から送信された第１装置用擬似時刻に基づいて自己の時計データを設定する。これにより、例えば第１装置及び第２装置のいずれの時計が非動作状態となった場合にも、第１装置用擬似時刻を用いて時計データを適切に復旧させることができる。つまり、第１装置及び第２装置が設定されるべき別々の時刻にて適切に復旧させることが可能となる。
【００１５】
上記の時間設定システムの他の一態様では、前記第１時計データ設定手段は、前記第１装置における時計が非動作状態となった後、当該非動作状態から復旧する際に、前記第２擬似時刻送信手段によって送信された前記第１装置用擬似時刻を受信して、当該第１装置用擬似時刻に基づいて時計データを設定する。
【００１６】
上記の時間設定システムの他の一態様では、前記第２差分データ記憶手段は、記憶している第２差分データと前記第２時計差分データ計算手段によって計算された第２差分データとの差分を示す第２差分データ差分値が所定範囲を超過していない場合には、前記第２時計差分データ計算手段によって計算された第２差分データを記憶し、前記第２差分データ差分値が前記所定範囲を超過しており、且つ前記第２差分データ差分値が前記所定範囲を超過している時間が所定時間継続していない場合には、前記第２時計差分データ計算手段によって計算された第２差分データを記憶せず、前記第２差分データ差分値が前記所定範囲を超過しており、且つ前記第２差分データ差分値が前記所定範囲を超過している時間が前記所定時間継続している場合には、前記第２時計差分データ計算手段によって計算された第２差分データを記憶する。
【００１７】
上記の時間設定システムにおいて好適には、前記第１装置と前記第２装置とは、親子関係を形成して通信を行う。
【００１８】
また、好適な実施例では、前記第１装置及び前記第２装置の少なくともいずれかが回線に接続されており、コードレス電話機として構成されている。
【実施例】
【００１９】
以下、図面を参照して本発明の好適な実施例について説明する。
【００２０】
［コードレス電話機の構成］
図１は、本発明の実施例に係るコードレス電話機１００の概略構成図を示す。なお、コードレス電話機１００は、本発明における時間設定システムの一例である。
【００２１】
コードレス電話機１００は、親機２０及び子機３０を有する。親機２０と子機３０とは無線接続されており、それぞれ時計機能を有している。また、親機２０及び子機３０のいずれか一方が第１装置に相当し、他方が第２装置に相当する。
【００２２】
親機２０は、主に、主制御部２１と、表示部２２と、操作部２３と、電源部２４と、無線部２５と、アンテナ２５ａと、時計部２６と、メモリ部２７と、回線制御部２８と、を備える。主制御部２１は親機２０全体の動作を制御し、表示部２２は画像を表示可能に構成され、操作部２３はユーザにより操作可能に構成され、ユーザからの入力を取得して主制御部２１に出力し、電源部２４は外部から供給された電力を親機２０内の各部に適正な電力で供給可能に構成されている。また、無線部２５はアンテナ２５ａを介して子機３０と無線通信可能に構成され、時計部２６は時計情報の計時を行い、メモリ部２７は種々の情報を記憶し、回線制御部２８は電話回線に接続されている。
【００２３】
子機３０は、主に、主制御部３１と、表示部３２と、操作部３３と、電源部（バッテリ）３４と、無線部３５と、アンテナ３５ａと、時計部３６と、メモリ部３７と、を備える。主制御部３１は子機３０全体の動作を制御し、表示部３２は画像を表示可能に構成され、操作部３３はユーザにより操作可能に構成され、ユーザからの入力を取得して主制御部３１に出力し、電源部３４は子機３０全体の電源として機能する。また、無線部３５はアンテナ３５ａを介して親機２０と無線通信可能に構成され、時計部３６は時計情報の計時を行い、メモリ部３７は種々の情報を記憶する。
【００２４】
［第１実施例］
次に、上記したコードレス電話機１００が行う処理の第１実施例について説明する。
【００２５】
第１実施例においては、基本的には、親機２０の時計機能が非動作状態となった後、復旧する場合に（例えば停電状態から復電する場合に）、子機３０から親機２０に所定のデータを送信することによって、親機２０の時計データを復旧させる処理を行う。具体的には、親機２０と子機３０とで別々の時刻を設定したような場合（例えば、親機２０に日本時刻を設定して、子機３０にアメリカ時刻を設定するような場合）にも、親機２０の時計データを適切な時刻にて復旧させるための処理を行う。つまり、子機３０における時刻とは異なる別の適切な時刻にて、親機２０を復旧させる。
【００２６】
ここで、第１実施例に係る処理の概要について説明する。第１実施例では、子機３０において、親機２０から受信された時計データに基づいて親機２０の擬似時刻（以下、「親機擬似時刻」と呼ぶ。）を計算して、当該親機擬似時刻を親機２０に送信する処理を行い、親機２０において、子機３０から受信された親機擬似時刻に基づいて時計データを設定する処理を行う。具体的には、子機３０は、親機２０から時計データを受信して、受信された親機２０の時計データと自己の時計データとの差分に相当する差分データ（以下、「親機時計差分データ」と呼ぶ。）を計算し、この親機時計差分データを記憶（更新）する。詳しくは、子機３０は、親機２０の時計が動作状態にある場合にのみ、計算された親機時計差分データによって更新を行い、親機２０の時計が非動作状態にある場合（例えば親機２０が停電状態にある場合）には、計算された親機時計差分データによって更新を行わない。より詳しくは、子機３０は、親機２０との間の通信が不可能となった場合や、記憶している親機時計差分データと今回計算された親機時計差分データとの差分値（以下、「親機差分データ差分値」と呼ぶ。）が所定範囲を超過している場合には、親機時計差分データを更新しない。なお、子機３０は、親機差分データ差分値が所定範囲を超過していても、所定範囲を超過している時間が所定時間継続している場合には、親機時計差分データを更新する。言い換えると、親機差分データ差分値が所定範囲を超過している時間が所定時間継続していない場合にのみ、親機時計差分データの更新を中止する。
【００２７】
次に、子機３０は、このようにして記憶された親機時計差分データと自己の時計データとに基づいて親機擬似時刻を計算して、この親機擬似時刻を親機２０に対して送信する。そして、親機２０は、子機３０から送信された親機擬似時刻を受信して、この親機擬似時刻にて自己の時計データを設定する。詳しくは、親機２０は、自己の時計が非動作状態となった後、当該非動作状態から復旧する際に（例えば、停電後に復電する際に）、受信された親機擬似時刻にて時計データを設定する。これにより、子機３０において親機時間差分データの更新が行われなくなった最後の親機時間差分データと子機３０の現在の時計データとから算出された親機擬似時刻を、親機２０に対して設定させることができる。つまり、親機２０が停電等で時計がカウントされなくなった時点から正常にカウントされた時刻を親機２０に設定させることができる。したがって、子機３０における時刻とは異なる別の適切な時刻にて、親機２０を復旧させることが可能となる。
【００２８】
このように、第１実施例においては、子機３０は第１装置に相当し、親機２０は第２装置に相当する。具体的には、子機３０は、第１時計差分データ計算手段、第１差分データ記憶手段、及び第１擬似時刻計算手段、並びに第１擬似時刻送信手段として機能し、親機２０は、第２時計データ設定手段として機能する。また、上記した親機時計差分データは第１差分データに相当し、親機差分データ差分値は第１差分データ差分値に相当する。更に、親機擬似時刻は第２装置用擬似時刻に相当する。
【００２９】
次に、図２乃至図４を参照して、第１実施例について、より具体的に説明を行う。
【００３０】
図２は、第１実施例において、親機２０のメモリ部２７及び子機３０のメモリ部３７に記憶されるデータの一例を示している。図示のように、親機２０のメモリ部２７には、子機３０から受信された親機擬似時刻データ１２７が記憶される。また、子機３０のメモリ部３７には、親機２０から受信された時計データと子機３０の時計データとの差分に相当する親機時計差分データ１３７が記憶される。
【００３１】
図３は、第１実施例における時計調整方法を具体的に説明するための図である。図３（ａ）及び図３（ｂ）は、左から順に、親機２０における時刻、子機３０における時刻、親機時計差分データ、親機擬似時刻を示している。図３（ａ）は、通常時（親機２０の時計が動作状態にある際）における時計調整方法を示している。この場合には、親機２０と子機３０との間で「１５分」の時差を有する時刻が設定されているものとする。そのため、親機２０の時計データと子機３０の時計データとの差分（親機時計差分データ）として「−１５分」が計算されて記憶される。また、このような親機時計差分データに基づいて親機擬似時刻が計算されて、親機２０に送信される。そして、５分経過した後においても、親機時計差分データとして「−１５分」が計算され、これで更新が行われる。つまり、親機２０の時計が動作状態にあるため（具体的には、親機２０と子機３０との間の通信が不可能となっておらず、且つ親機差分データ差分値が所定範囲を超過していないため）、親機時計差分データが更新される。この場合には、親機２０の時計が動作状態にあるため、親機擬似時刻にて親機２０の時計データは設定されない。
【００３２】
図３（ｂ）は、親機２０の時計が非動作状態から復旧される際における時計調整方法を示している。親機２０が停電状態などにある場合（つまり電源がオフの状態にある場合）には、親子間の通信が行われなくなるため、後述の図４に示すような処理そのものが動作しなくなるので、親機時計差分データの更新が停止されることになる。この後、親機２０が停電状態から復電した場合（つまり電源がオフからオンとなった場合）、親子間の無線リンクが確立されるが、図示のように親機２０の時計データは消滅している。この段階では、親機２０の時計データから計算される親機時計差分データにおける親機差分データ差分値が所定範囲を超過することとなるが（これは、親機２０が復電後の最初の子機３０との通信となるため、親機差分データ差分値が所定範囲を超過していると判断した最初ということになり、所定時間を計測する起点となるからである）、所定範囲を超過している時間が所定時間継続していないため、計算された親機時計差分データにて更新は行われない。具体的には、親機時計差分データが「−１５分」に維持される。そして、この後、当該親機時計差分データと子機３０の現在の時計データとから算出された親機擬似時刻によって、親機２０の時計データが設定される。これにより、親機２０と子機３０との間で当初に設定された「１５分」の時差が保持された時刻にて、親機２０の時計データが適切に復旧されることとなる。
【００３３】
図４は、第１実施例において親機２０及び子機３０が行う処理を示すフローチャートである。具体的には、ステップＳ１０１〜Ｓ１０４の処理は親機２０によって所定の周期で繰り返し実行され、ステップＳ２０１〜Ｓ２０７の処理は子機３０によって所定の周期で繰り返し実行される。なお、親機２０が非動作状態にある場合には、ステップＳ１０１〜Ｓ１０４の処理は行われない。また、基本的には、親機２０においては主制御部２１が当該処理を実行し、子機３０においては主制御部３１が当該処理を実行する。更に、子機３０は、予め時刻がセットされ、時計は常に動いているものとする。
【００３４】
まず、ステップＳ１０１では、親機２０は、子機３０に対して自己の時計データを送信する。具体的には、親機２０は、親子間の通信中（親子間のリンクが確立しているときであり、一例としては子機３０にて外線通話中）に、所定周期毎に時計データを送信する。そして、処理はステップＳ１０２に進む。
【００３５】
一方、子機３０は、ステップＳ２０１において、上記のステップＳ１０１で親機２０が送信した時計データを受信する。そして、処理はステップＳ２０２に進む。ステップＳ２０２では、子機３０は、受信された親機２０の時計データと自己の時計データとに基づいて親機時計差分データを計算する。具体的には、子機３０は、親機２０の時計データから自己の時計データを減算することによって、親機時計差分データを計算する。そして、処理はステップＳ２０３に進む。
【００３６】
ステップＳ２０３では、子機３０は、記憶している親機時計差分データとステップＳ２０２で計算された親機時計差分データとの差分値（親機差分データ差分値）が所定範囲を超過しているか否かを判定する。親機差分データ差分値が所定範囲を超過している場合（ステップＳ２０３；Ｙｅｓ）、処理はステップＳ２０４に進む。これに対して、親機差分データ差分値が所定範囲を超過していない場合（ステップＳ２０３；Ｎｏ）、処理はステップＳ２０５に進む。この場合には、親機２０が正常に時計をカウントしているものと考えられるので、子機３０は、親機時計差分データを更新する（ステップＳ２０５）。具体的には、子機３０は、自己のメモリ部３７に親機時計差分データを格納する。そして、処理はステップＳ２０６に進む。
【００３７】
一方、ステップＳ２０４では、子機３０は、親機差分データ差分値が所定範囲を超過している時間が所定時間継続しているか否かを判定する。親機差分データ差分値が所定範囲を超過している時間が所定時間継続している場合（ステップＳ２０４；Ｙｅｓ）、処理はステップＳ２０５に進み、親機時計差分データを更新する。つまり、メモリ部３７に親機時計差分データを格納する。この場合には、親機２０の時計データの設定が変更等されたために、親機差分データ差分値が所定範囲を超過しているものと考えられるからである。この後、処理はステップＳ２０６に進む。一方、親機差分データ差分値が所定範囲を超過している時間が所定時間継続していない場合（ステップＳ２０４；Ｎｏ）、処理はステップＳ２０６に進む。この場合には、親機時計差分データを更新しない。
【００３８】
ステップＳ２０６では、子機３０は、記憶されている親機時計差分データと自己の現在の時計データとに基づいて親機擬似時刻を計算する。具体的には、子機３０は、自己の現在の時計データに対して親機時計差分データを加算することによって、親機擬似時刻を計算する。そして、処理はステップＳ２０７に進む。ステップＳ２０７では、子機３０は、ステップＳ２０６で計算された親機擬似時刻を、親機２０に送信する。具体的には、子機３０は、親子間の通信中（親子間のリンクが確立しているときであり、一例としては子機３０にて外線通話中）に、所定周期毎に親機擬似時刻を送信する。そして、子機３０における処理は終了する。
【００３９】
一方、親機２０は、ステップＳ１０２において、上記のステップＳ２０７にて子機３０が送信した親機擬似時刻を受信する。そして、処理はステップＳ１０３に進む。
【００４０】
ステップＳ１０３では、親機２０は、自己の時計が非動作状態にあることを示す時計非動作フラグがオンとなっているか否かを判定する。この時計非動作フラグは、親機２０が非動作状態（停電状態等より、電源がオフとなった状態）となったことに起因して、親機２０の時計が非動作となった場合にオンとされる。時計非動作フラグがオンである場合（ステップＳ１０３；Ｙｅｓ）、処理はステップＳ１０４に進む。この場合には、親機２０は、ステップＳ１０２で受信された親機擬似時刻に基づいて、自己の時計データを設定する（ステップＳ１０４）。これにより、親機２０が停電等で時計がカウントされなくなった時点から正常にカウントされた時刻によって、親機２０の時計データが復旧されることとなる。そして、親機２０は、このように時計データを設定した後に、時計非動作フラグをオンからオフに設定する。以上のステップＳ１０４の処理が終了すると、親機２０における処理は終了する。
【００４１】
一方、時計非動作フラグがオンでない場合（ステップＳ１０３；Ｎｏ）、処理は終了する。この場合には、親機２０の時計が動作状態にあるため、親機擬似時刻による時計データの設定を行わない。
【００４２】
以上説明した第１実施例によれば、親機２０の時計が非動作状態となった場合に、子機３０において計算された親機擬似時刻を用いて、親機２０の時計データを適切に復旧させることができる。具体的には、親機２０が停電等で時計がカウントされなくなった時点から正常にカウントされた時刻を、親機２０に設定させることができる。よって、子機３０における時刻とは異なる別の適切な時刻にて、親機２０を復旧させることが可能となる。これにより、親機２０における停電時の時計データの保持や更新が必要ないため、親機２０の回路の簡素化やバックアップ電池の削除等が可能となる。
【００４３】
なお、上記では、１個の子機３０にて構成されるコードレス電話機１００が行う処理を示したが、複数の子機にて構成されるコードレス電話機によっても同様の処理を行うことができる。
【００４４】
図５は、変形例に係るコードレス電話機１００ａの概略構成図を示す。当該コードレス電話機１００ａは、本発明における時間設定システムの一例である。なお、図１に示したものと同一の構成要素に対しては同一の符号を付し、その説明を省略する。
【００４５】
コードレス電話機１００ａは、親機２０と、複数（ｎ個）の子機３０Ａ１〜３０Ａｎとを有する。子機３０Ａ１〜３０Ａｎは、それぞれ親機２０と無線接続されており、時計機能を有している。また、子機３０Ａ１〜３０Ａｎは、前述した子機３０と同様に構成されている、つまり同一の構成要素を有する。なお、子機３０Ａ１〜３０Ａｎは、第１装置における複数の装置に相当し、それぞれ、第１時計差分データ計算手段、第１差分データ記憶手段、及び第１擬似時刻計算手段、並びに第１擬似時刻送信手段として機能する。
【００４６】
子機３０Ａ１〜３０Ａｎは、それぞれ、親機２０から受信された時計データに基づいて親機時計差分データを計算して記憶し、記憶された親機時計差分データと自己の時計データとに基づいて親機擬似時刻を計算して、この親機擬似時刻を親機２０に対して送信する。一方、親機２０は、複数の子機３０Ａ１〜３０Ａｎから送信された複数（ｎ個）の親機擬似時刻に基づいて、自己の時計データを設定する。具体的には、親機２０は、自己の時計が非動作状態となった後、当該非動作状態から復旧する際に、このように受信された複数の親機擬似時刻を比較することによって決定された時刻にて時計データを設定する。詳しくは、親機２０は、受信された複数の親機擬似時刻をメモリ部２７に格納して、これらを比較することで、データの一致が多い時計データにて設定を行う。例えば、複数の親機擬似時刻から多数決により決定した時刻や、複数の親機擬似時刻を平均した時刻などによって、時計データの設定を行う。これにより、子機３０Ａ１〜３０Ａｎのいずれかにおいて時計カウントの異常が発生した場合にも、異常が発生した子機より受信された親機擬似時刻によって、親機２０の時計データが設定されてしまうことを防止することが可能となる。
【００４７】
更に、上記では、子機３０若しくは子機３０Ａ１〜３０Ａｎ（以下、単に「子機３０」と表記する。）で計算された親機擬似時刻にて、親機２０の時計データを復旧させる例を示したが、これに限定はされない。他の例では、子機３０で計算された親機擬似時刻にて親機２０を復旧させる代わりに、親機２０で子機３０の擬似時刻を計算し、この擬似時刻で子機３０時計データを復旧させることができる。つまり、上記した実施例と、子機３０の役割と親機２０の役割とを入れ替えることができる。この場合、親機２０は、子機３０から時計データを受信して、受信された子機３０の時計データと自己の時計データとの差分に相当する差分データを計算して記憶し、記憶された差分データと自己の時計データとに基づいて子機３０の擬似時刻を計算して、この擬似時刻を子機３０に対して送信する。そして、子機３０は、親機２０から送信された擬似時刻を受信して、この擬似時刻にて自己の時計データを設定する。具体的には、子機３０は、自己の時計が非動作状態となった後、当該非動作状態から復旧する際に（例えば、バッテリ切れとなった後に、バッテリ復活した際に）、受信された擬似時刻にて時計データを設定する。
【００４８】
このような変形例においては、親機２０は第１装置に相当し、子機３０は第２装置に相当する。具体的には、親機２０は、第１時計差分データ計算手段、第１差分データ記憶手段、及び第１擬似時刻計算手段、並びに第１擬似時刻送信手段として機能し、子機３０は、第２時計データ設定手段として機能する。
【００４９】
［第２実施例］
次に、第２実施例について説明する。前述した第１実施例では、子機３０で計算された親機擬似時刻を親機２０に送信することで親機２０の時計データを復旧させていた。しかしながら、第２実施例では、子機３０で計算された親機擬似時刻によって親機２０の時計データを復旧させると共に、親機２０でも子機３０の擬似時刻（以下、「子機擬似時刻」と呼ぶ。）を計算して、この子機擬似時刻によって子機３０時計データを復旧させる点で、第１実施例と異なる。つまり、第２実施例では、親機２０及び子機３０の両方において他方の時計における擬似時刻を計算し、この擬似時刻によって他方の時計データを復旧させる。言い換えると、第２実施例では、親子間において擬似時刻を双方向通信することで、時計データの復旧を行う。なお、第２実施例に係る処理も、前述したコードレス電話機１００（図１参照）によって実行される。
【００５０】
ここで、第２実施例に係る処理の概要について説明する。まず、子機３０の時計データを復旧させるために行われる処理を説明する。この場合、親機２０は、子機３０から時計データを受信して、受信された子機３０の時計データと自己の時計データとの差分に相当する差分データ（以下、「子機時計差分データ」と呼ぶ。）を計算し、この子機時計差分データを記憶（更新）する。詳しくは、親機２０は、子機３０の時計が動作状態且つ、親機間との通信が可能な状態にある場合にのみ、計算された子機時計差分データによって更新を行う。
【００５１】
この後、親機２０は、記憶された子機時計差分データと自己の時計データとに基づいて子機擬似時刻を計算して、この子機擬似時刻を子機３０に対して送信する。そして、子機３０は、親機２０から送信された子機擬似時刻を受信して、この子機擬似時刻にて自己の時計データを設定する。詳しくは、子機３０は、自己の時計が非動作状態となった後、当該非動作状態から復旧する際に（例えば、バッテリ切れとなった後に、バッテリ復活した際に）、受信された子機擬似時刻にて時計データを設定する。これにより、親機２０において子機時間差分データの更新が行われなくなった最後の子機時間差分データと親機２０の現在の時計データとから算出された子機擬似時刻を、子機３０に対して設定させることができる。つまり、子機３０がバッテリ切れ等で時計がカウントされなくなった時点から正常にカウントされた時刻を子機３０に設定させることができる。
【００５２】
次に、親機２０の時計データを復旧させるために行われる処理を説明する。この場合、子機３０は、親機２０から受信された時計データと自己の時計データとの差分に相当する親機時計差分データを計算して記憶し、記憶された親機時計差分データと自己の時計データとに基づいて親機擬似時刻を計算して親機２０に送信する。そして、親機２０は、自己の時計が非動作状態となった後、当該非動作状態から復旧する際に（例えば、停電後に復電する際に）、子機３０から受信された子機擬似時刻にて自己の時計データを設定する。なお、この場合における処理は、基本的には第１実施例と同様であるため、詳細は省略する。
【００５３】
以上の第２実施例によれば、親機２０及び子機３０のいずれの時計が非動作状態となった場合にも、計算された擬似時刻を用いて時計データを適切に復旧させることができる。つまり、時計がカウントされなくなった時点から正常にカウントされた時刻にて、親機２０及び子機３０の時計データを設定することができる。よって、親機２０及び子機３０のいずれかの時計機能が非動作状態となった場合にも、親機２０及び子機３０が設定されるべき別々の時刻にて適切に復旧させることが可能となる。
【００５４】
なお、第２実施例においては、子機３０は第１装置に相当し、親機２０は第２装置に相当する。具体的には、子機３０は、第１時計差分データ計算手段、第１差分データ記憶手段、第１擬似時刻計算手段、第１擬似時刻送信手段、第１時計データ設定手段として機能する。一方、親機２０は、第２時計差分データ計算手段、第２差分データ記憶手段、第２擬似時刻計算手段、第２擬似時刻送信手段、第２時計データ設定手段として機能する。また、上記した子機時計差分データは第２差分データに相当し、子機差分データ差分値は第２差分データ差分値に相当する。更に、子機擬似時刻は第１装置用擬似時刻に相当し、親機擬似時刻は第２装置用擬似時刻に相当する。
【００５５】
次に、図６及び図７を参照して、第２実施例について、より具体的に説明を行う。
【００５６】
図６は、第２実施例における、データ送信フォーマット及びメモリ部２７、３７に記憶されるデータの一例を示している。図６（ａ）は、親機２０におけるデータ送信フォーマットを示している。図示のように、親機２０は、自己の時計データ（親機２０の現在時刻）及び子機擬似時刻を、子機３０に対して送信する。次に、図６（ｂ）は、子機３０におけるデータ送信フォーマットを示している。図示のように、子機３０は、自己の時計データ（子機３０の現在時刻）及び親機擬似時刻を、親機２０に対して送信する。次に、図６（ｃ）は、親機２０のメモリ部２７及び子機３０のメモリ部３７に記憶されるデータの一例を示している。親機２０のメモリ部２７には、子機時計差分データ１２７ａが記憶され、子機３０のメモリ部３７には、親機時計差分データ１３７ａが記憶される。なお、初期設定時においては、子機時計差分データ１２７ａは初期値等任意であるので、子機擬似時刻は初期値等任意で良い。また、初期設定時においては、親機時計差分データ１３７ａは初期値で通常更新されないので、親機擬似時刻は初期値等任意で良い。
【００５７】
図７は、第２実施例において親機２０及び子機３０が行う処理を示すフローチャートである。具体的には、ステップＳ３０１〜Ｓ３０９の処理は親機２０によって所定の周期で繰り返し実行され、ステップＳ４０１〜Ｓ４０９の処理は子機３０によって所定の周期で繰り返し実行される。なお、基本的には、親機２０においては主制御部２１が当該処理を実行し、子機３０においては主制御部３１が当該処理を実行する。
【００５８】
まず、親機２０の処理について説明する。ステップＳ３０１では、親機２０は、記憶されている子機時計差分データと自己の現在の時計データとに基づいて子機擬似時刻を計算する。具体的には、親機２０は、自己の現在の時計データに対して子機時計差分データを加算することによって、子機擬似時刻を計算する。そして、処理はステップＳ３０２に進む。ステップＳ３０２では、親機２０は、自己の時計データとステップＳ３０１で計算された子機擬似時刻とを、子機３０に送信する。具体的には、親機２０は、親子間の通信中（親子間のリンクが確立しているときであり、一例としては子機３０にて外線通話中）に、所定周期毎に自己の時計データと子機擬似時刻とを送信する。そして、処理はステップＳ３０３に進む。
【００５９】
ステップＳ３０３では、親機２０は、後述するステップＳ４０９で子機３０が送信した時計データと親機擬似時刻とを受信する。そして、処理はステップＳ３０４に進む。
【００６０】
ステップＳ３０４では、親機２０は、自己の時計が非動作状態にあることを示す時計非動作フラグがオンとなっているか否かを判定する。この時計非動作フラグは、親機２０が非動作状態（停電状態等より、電源がオフとなった状態）となったことに起因して、親機２０の時計が非動作となった場合にオンとされる。時計非動作フラグがオンである場合（ステップＳ３０４；Ｙｅｓ）、処理はステップＳ３０５に進む。この場合には、親機２０は、ステップＳ３０３で受信された親機擬似時刻に基づいて、自己の時計データを設定する（ステップＳ３０５）。これにより、親機２０が停電等で時計がカウントされなくなった時点から正常にカウントされた時刻によって、親機２０の時計データが復旧されることとなる。そして、親機２０は、このように時計データを設定した後に、時計非動作フラグをオンからオフに設定する。以上のステップＳ３０５の処理が終了すると、処理はステップＳ３０６に進む。
【００６１】
一方、時計非動作フラグがオンでない場合（ステップＳ３０４；Ｎｏ）、処理はステップＳ３０６に進む。この場合には、親機２０の時計が動作状態にあるため、親機擬似時刻による時計データの設定を行わない。
【００６２】
ステップＳ３０６では、親機２０は、受信された子機３０の時計データと自己の時計データとに基づいて子機時計差分データを計算する。具体的には、親機２０は、子機３０の時計データから自己の時計データを減算することによって、子機時計差分データを計算する。そして、処理はステップＳ３０７に進む。
【００６３】
ステップＳ３０７では、親機２０は、記憶している子機時計差分データとステップＳ３０６で計算された子機時計差分データとの差分値（子機差分データ差分値）が所定範囲を超過しているか否かを判定する。子機差分データ差分値が所定範囲を超過している場合（ステップＳ３０７；Ｙｅｓ）、処理はステップＳ３０８に進む。これに対して、子機差分データ差分値が所定範囲を超過していない場合（ステップＳ３０７；Ｎｏ）、処理はステップＳ３０９に進む。この場合には、子機３０が正常に時計をカウントしているものと考えられるので、親機２０は、子機時計差分データを更新する（ステップＳ３０９）。具体的には、親機２０は、自己のメモリ部２７に子機時計差分データを格納する。そして、親機２０における処理は終了する。
【００６４】
一方、ステップＳ３０８では、親機２０は、子機差分データ差分値が所定範囲を超過している時間が所定時間継続しているか否かを判定する。子機差分データ差分値が所定範囲を超過している時間が所定時間継続している場合（ステップＳ３０８；Ｙｅｓ）、処理はステップＳ３０９に進み、子機時計差分データを更新する。つまり、メモリ部２７に子機時計差分データを格納する。この場合には、子機３０の時計データの設定が変更等されたために、子機差分データ差分値が所定範囲を超過しているものと考えられるからである。この後、親機２０における処理は終了する。これに対して、子機差分データ差分値が所定範囲を超過している時間が所定時間継続していない場合（ステップＳ３０８；Ｎｏ）、処理は終了する。この場合には、子機バッテリ切れの最初の通信で、子機時計の初期値や不定値にて子機時計差分データを更新させないために、子機時計差分データを更新しない。
【００６５】
次に、子機３０の処理について説明する。ステップＳ４０１では、子機３０は、ステップＳ３０２で親機２０が送信した時計データと子機擬似時刻とを受信する。そして、処理はステップＳ４０２に進む。
【００６６】
ステップＳ４０２では、子機３０は、自己の時計が非動作状態にあることを示す時計非動作フラグがオンとなっているか否かを判定する。この時計非動作フラグは、子機３０が非動作状態（バッテリ切れ等より、電源がオフとなった状態）となったことに起因して、子機３０の時計が非動作となった場合にオンとされる。時計非動作フラグがオンである場合（ステップＳ４０２；Ｙｅｓ）、処理はステップＳ４０３に進む。この場合には、子機３０は、ステップＳ４０１で受信された子機擬似時刻に基づいて、自己の時計データを設定する（ステップＳ４０３）。これにより、子機３０がバッテリ切れ等で時計がカウントされなくなった時点から正常にカウントされた時刻によって、子機３０の時計データが復旧されることとなる。そして、子機３０は、このように時計データを設定した後に、時計非動作フラグをオンからオフに設定する。以上のステップＳ４０３の処理が終了すると、処理はステップＳ４０４に進む。
【００６７】
一方、時計非動作フラグがオンでない場合（ステップＳ４０２；Ｎｏ）、処理はステップＳ４０４に進む。この場合には、子機３０の時計が動作状態にあるため、子機擬似時刻による時計データの設定を行わない。
【００６８】
ステップＳ４０４では、子機３０は、受信された親機２０の時計データと自己の時計データとに基づいて親機時計差分データを計算する。具体的には、子機３０は、親機２０の時計データから自己の時計データを減算することによって、親機時計差分データを計算する。そして、処理はステップＳ４０５に進む。
【００６９】
ステップＳ４０５では、子機３０は、記憶している親機時計差分データとステップＳ４０４で計算された親機時計差分データとの差分値（親機差分データ差分値）が所定範囲を超過しているか否かを判定する。親機差分データ差分値が所定範囲を超過している場合（ステップＳ４０５；Ｙｅｓ）、処理はステップＳ４０６に進む。これに対して、親機差分データ差分値が所定範囲を超過していない場合（ステップＳ４０５；Ｎｏ）、処理はステップＳ４０７に進む。この場合には、親機２０が正常に時計をカウントしているものと考えられるので、子機３０は、親機時計差分データを更新する（ステップＳ４０７）。具体的には、子機３０は、自己のメモリ部３７に親機時計差分データを格納する。そして、処理はステップＳ４０８に進む。
【００７０】
一方、ステップＳ４０６では、子機３０は、親機差分データ差分値が所定範囲を超過している時間が所定時間継続しているか否かを判定する。親機差分データ差分値が所定範囲を超過している時間が所定時間継続している場合（ステップＳ４０６；Ｙｅｓ）、処理はステップＳ４０７に進み、親機時計差分データを更新する。つまり、メモリ部３７に親機時計差分データを格納する。この場合には、親機２０の時計データの設定が変更等されたために、親機差分データ差分値が所定範囲を超過しているものと考えられるからである。この後、処理はステップＳ４０８に進む。一方、親機差分データ差分値が所定範囲を超過している時間が所定時間継続していない場合（ステップＳ４０６；Ｎｏ）、処理はステップＳ４０８に進む。この場合には、親機時計差分データを更新しない。
【００７１】
ステップＳ４０８では、子機３０は、記憶されている親機時計差分データと自己の現在の時計データとに基づいて親機擬似時刻を計算する。具体的には、子機３０は、自己の現在の時計データに対して親機時計差分データを加算することによって、親機擬似時刻を計算する。そして、処理はステップＳ４０９に進む。ステップＳ４０９では、子機３０は、自己の時計データとステップＳ４０８で計算された親機擬似時刻とを、親機２０に送信する。具体的には、子機３０は、親子間の通信中（親子間のリンクが確立しているときであり、一例としては子機３０にて外線通話中）に、所定周期毎に自己の時計データと親機擬似時刻とを送信する。そして、子機３０における処理は終了する。
【００７２】
以上説明した第２実施例によれば、親機２０及び子機３０のいずれの時計が非動作状態となった場合にも、計算された擬似時刻を用いて時計データを適切に復旧させることができる。つまり、時計がカウントされなくなった時点から正常にカウントされた時刻にて、親機２０及び子機３０の時計データを設定することができる。よって、親機２０及び子機３０のいずれかの時計機能が非動作状態となった場合にも、親機２０及び子機３０が設定されるべき別々の時刻にて適切に復旧させることが可能となる。これにより、停電時やバッテリ切れ時などにおける時計データの保持や更新が必要ないため、親機２０及び子機３０の回路の簡素化やバックアップ電池の削除等が可能となる。
【００７３】
なお、上記では、１個の子機３０にて構成されるコードレス電話機１００が行う処理を示したが、複数の子機にて構成されるコードレス電話機によっても同様の処理を行うことができる。つまり、図５に示したようなコードレス電話機１００ａにも、第２実施例に係る処理を適用することができる。この場合には、複数（ｎ個）の子機３０Ａ１〜３０Ａｎは、それぞれ、親機時計差分データに基づいて親機擬似時刻を計算して親機２０に送信すると共に、親機２０が送信した子機擬似時刻にて時計データを設定する。一方、親機２０は、子機時計差分データに基づいて子機擬似時刻を計算して子機３０に送信すると共に、子機３０Ａ１〜３０Ａｎが送信した複数（ｎ個）の親機擬似時刻に基づいて時計データを設定する。具体的には、親機２０は、複数の親機擬似時刻のそれぞれをメモリ部２７に格納して、これらを比較することで、データの一致が多い時計データにて設定を行う。
【００７４】
また、本発明の適用は、コードレス電話機１００、１００ａに限定はされない。本発明は、時計機能を有する複数の装置を具備し、親子関係を形成して通信を行うようなシステムに対して適用することができる。例えば、ドアホン子機やドアホン親機などを有するドアホンシステムに対して適用することができる。更に、本発明は、複数の子機で構成されるシステムだけでなく、複数の親機が存在するようなシステムにも同様に適用することができる。
【図面の簡単な説明】
【００７５】
【図１】本実施例に係るコードレス電話機の概略構成図を示す。
【図２】第１実施例において、親機及び子機のメモリ部に記憶されるデータの一例を示す。
【図３】第１実施例における時計調整方法を具体的に説明するための図である。
【図４】第１実施例において親機及び子機が行う処理を示すフローチャートである。
【図５】変形例に係るコードレス電話機の概略構成図を示す。
【図６】第２実施例における、データ送信フォーマット及びメモリ部に記憶されるデータの一例を示す。
【図７】第２実施例において親機及び子機が行う処理を示すフローチャートである。
【符号の説明】
【００７６】
２０  親機
２１、３１  主制御部
２４、３４  電源部
２５、３５  無線部
２６、３６  時計部
２７、３７  メモリ部
２８  回線制御部
３０  子機
１００、１００ａ  コードレス電話機
【図１】
2010016709.tif 000003
【図２】
2010016709.tif 000004
【図３】
2010016709.tif 000005
【図４】
2010016709.tif 000006
【図５】
2010016709.tif 000007
【図６】
2010016709.tif 000008
【図７】
2010016709.tif 000009